【手続補正書】
【提出日】平成15年6月30日(2003.6.30)
【手続補正１】
【補正対象書類名】明細書
【補正対象項目名】特許請求の範囲
【補正方法】変更
【補正の内容】
【特許請求の範囲】
【請求項１】
第１基地局を経由して通信している際、周辺基地局が送信する制御チャネルの電界強度を測定することにより、通信に好適な基地局を選択してハンドオーバを行ない、通信を継続する通信端末装置において、
前記第１基地局の通話チャネルの電界強度を記憶する第１記憶手段と、
選択された基地局の制御チャネルの電界強度を記憶する第２記憶手段と、
前記第１記憶手段が記憶する通話チャネルの電界強度と前記第２記憶手段が記憶する制御チャネルの電界強度との大小を比較する比較手段と、
前記選択された基地局が前記第１基地局であるか否かを判断する判断手段と、
前記判断手段が前記選択された基地局が前記第１基地局であると判断した場合、前記比較手段の比較の結果、前記制御チャネルの電界強度の方が前記通話チャネルの電界強度よりも大きいとき、前記第１基地局とのハンドオーバ制御を行なう制御手段と、
を具備することを特徴とする通信端末装置。
【請求項２】
請求項１に記載の通信端末装置において、
前記制御手段は、前記制御チャネルの電界強度の方が前記通話チャネルの電界強度よりも所定値以上大きいとき、前記第１基地局とのハンドオーバ制御を行なうこと、
を特徴とする通信端末装置。
【請求項３】
請求項１又は請求項２に記載の通信端末装置において、
前記制御手段は、前記第１基地局とのハンドオーバ制御を行なわない場合、次の基地局を選択してハンドオーバ制御を行なうこと、
を特徴とする通信端末装置。
【請求項４】
請求項１乃至請求項３のいずれかに記載の通信端末装置において、前記制御手段は、制御チャネルから通話チャネルに移行するリンク確立シーケンスにおいて、ハンドオーバ先の基地局の制御チャネルを通して通話チャネルの割当要求を送信し、基地局から通話チャネルの割当を受信したとき、割り当てられた通話チャネルを通して基地局から送信される同期バースト信号の電界強度がしきい値以下であるか否かを判定し、前記しきい値以下であると判定された場合には、リンク確立を中止すること、
を特徴とする通信端末装置。
【請求項５】
請求項４に記載の通信端末装置において、
前記制御手段は、リンク確立を中止した場合、制御チャネルを通して通話チャネルの割当要求を再送信すること、
を特徴とする通信端末装置。
【請求項６】
第１基地局を経由して通信している際、周辺基地局が送信する制御チャネルの電界強度を測定することにより、通信に好適な基地局を選択してハンドオーバを行ない、通信を継続する通信端末装置のハンドオーバ制御方法において、
前記第１基地局の通話チャネルの電界強度を記憶する第１ステップと、
選択された基地局の制御チャネルの電界強度を記憶する第２ステップと、
前記第１ステップで記憶した通話チャネルの電界強度と前記第２ステップで記憶した制御チャネルの電界強度との大小を比較する第３ステップと、
前記選択された基地局が前記第１基地局であるか否かを判断する第４ステップと、
前記第４ステップが前記選択された基地局が前記第１基地局であると判断した場合、前記第３ステップの比較の結果、前記制御チャネルの電界強度の方が前記通話チャネルの電界強度よりも大きいとき、通信中の前記第１基地局とのハンドオーバ制御を行なう制御ステップと、
を含むことを特徴とするハンドオーバ制御方法。
【請求項７】
請求項６に記載のハンドオーバ制御方法において、
前記制御ステップは、前記制御チャネルの電界強度の方が前記通話チャネルの電界強度よりも所定値以上大きいとき、前記第１基地局とのハンドオーバ制御を行なうこと、
を特徴とするハンドオーバ制御方法。
【請求項８】
請求項６又は請求項７に記載のハンドオーバ制御方法において、
前記制御ステップは、前記第１基地局とのハンドオーバ制御を行なわない場合、次の基地局を選択してハンドオーバ制御を行なうこと、
を特徴とするハンドオーバ制御方法。
【請求項９】
請求項６乃至請求項８のいずれかに記載のハンドオーバ制御方法において、
前記制御ステップは、制御チャネルから通話チャネルに移行するリンク確立シーケンスにおいて、ハンドオーバ先の基地局の制御チャネルを通して通話チャネルの割当要求を送信し、基地局から通話チャネルの割当を受信したとき、割り当てられた通話チャネルを通して基地局から送信される同期バースト信号の電界強度がしきい値以下であるか否かを判定し、前記しきい値以下であると判定された場合には、リンク確立を中止すること、
を特徴とするハンドオーバ制御方法。
【請求項１０】
請求項９に記載のハンドオーバ制御方法において、
前記制御手段は、リンク確立を中止した場合、制御チャネルを通して通話チャネルの割当要求を再送信すること、
を特徴とするハンドオーバ制御方法。
【手続補正２】
【補正対象書類名】明細書
【補正対象項目名】００１７
【補正方法】変更
【補正の内容】
【００１７】
【課題を解決するための手段】請求項１に係る本発明の通信端末装置は、上記の目的を達成するために、第１基地局を経由して通信している際、周辺基地局が送信する制御チャネルの電界強度を測定することにより、通信に好適な基地局を選択してハンドオーバを行ない、通信を継続する通信端末装置において、前記第１基地局の通話チャネルの電界強度を記憶する第１記憶手段と、選択された基地局の制御チャネルの電界強度を記憶する第２記憶手段と、前記第１記憶手段が記憶する通話チャネルの電界強度と前記第２記憶手段が記憶する制御チャネルの電界強度との大小を比較する比較手段と、前記選択された基地局が前記第１基地局であるか否かを判断する判断手段と、前記判断手段が前記選択された基地局が前記第１基地局であると判断した場合、前記比較手段の比較の結果、前記制御チャネルの電界強度の方が前記通話チャネルの電界強度よりも大きいとき、前記第１基地局とのハンドオーバ制御を行なう制御手段とを具備することを特徴とする。


【手続補正３】
【補正対象書類名】明細書
【補正対象項目名】００１８
【補正方法】変更
【補正の内容】
【００１８】
請求項２に係る本発明の通信端末装置は、請求項１に記載の通信端末装置において、前記制御手段は、前記制御チャネルの電界強度の方が前記通話チャネルの電界強度よりも所定値以上大きいとき、前記第１基地局とのハンドオーバ制御を行なうことを特徴とする。
請求項３に係る本発明の通信端末装置は、請求項１又は請求項２に記載の通信端末装置において、前記制御手段は、前記第１基地局とのハンドオーバ制御を行なわない場合、次の基地局を選択してハンドオーバ制御を行なうことを特徴とする。
請求項４に係る本発明の通信端末装置は、請求項１乃至請求項３のいずれかに記載の通信端末装置において、前記制御手段は、制御チャネルから通話チャネルに移行するリンク確立シーケンスにおいて、ハンドオーバ先の基地局の制御チャネルを通して通話チャネルの割当要求を送信し、基地局から通話チャネルの割当を受信したとき、割り当てられた通話チャネルを通して基地局から送信される同期バースト信号の電界強度がしきい値以下であるか否かを判定し、前記しきい値以下であると判定された場合には、リンク確立を中止することを特徴とする。
請求項５に係る本発明の通信端末装置は、請求項４に記載の通信端末装置において、前記制御手段は、リンク確立を中止した場合、制御チャネルを通して通話チャネルの割当要求を再送信することを特徴とする。


【手続補正４】
【補正対象書類名】明細書
【補正対象項目名】００１９
【補正方法】変更
【補正の内容】
【００１９】
請求項６に係る本発明のハンドオーバ制御方法は、第１基地局を経由して通信している際、周辺基地局が送信する制御チャネルの電界強度を測定することにより、通信に好適な基地局を選択してハンドオーバを行ない、通信を継続する通信端末装置のハンドオーバ制御方法において、前記第１基地局の通話チャネルの電界強度を記憶する第１ステップと、選択された基地局の制御チャネルの電界強度を記憶する第２ステップと、前記第１ステップで記憶した通話チャネルの電界強度と前記第２ステップで記憶した制御チャネルの電界強度との大小を比較する第３ステップと、前記選択された基地局が前記第１基地局であるか否かを判断する第４ステップと、前記第４ステップが前記選択された基地局が前記第１基地局であると判断した場合、前記第３ステップの比較の結果、前記制御チャネルの電界強度の方が前記通話チャネルの電界強度よりも大きいとき、通信中の前記第１基地局とのハンドオーバ制御を行なう制御ステップとを含むことを特徴とする。


【手続補正５】
【補正対象書類名】明細書
【補正対象項目名】００２０
【補正方法】変更
【補正の内容】
【００２０】
請求項７に係る本発明のハンドオーバ制御方法は、請求項６に記載のハンドオーバ制御方法において、前記制御ステップは、前記制御チャネルの電界強度の方が前記通話チャネルの電界強度よりも所定値以上大きいとき、前記第１基地局とのハンドオーバ制御を行なうことを特徴とする。
請求項８に係る本発明のハンドオーバ制御方法は、請求項６又は請求項７に記載のハンドオーバ制御方法において、前記制御ステップは、前記第１基地局とのハンドオーバ制御を行なわない場合、次の基地局を選択してハンドオーバ制御を行なうことを特徴とする。
請求項９に係る本発明のハンドオーバ制御方法は、請求項６乃至請求項８のいずれかに記載のハンドオーバ制御方法において、前記制御ステップは、制御チャネルから通話チャネルに移行するリンク確立シーケンスにおいて、ハンドオーバ先の基地局の制御チャネルを通して通話チャネルの割当要求を送信し、基地局から通話チャネルの割当を受信したとき、割り当てられた通話チャネルを通して基地局から送信される同期バースト信号の電界強度がしきい値以下であるか否かを判定し、前記しきい値以下であると判定された場合には、リンク確立を中止することを特徴とする。
請求項１０に係る本発明のハンドオーバ制御方法は、請求項９に記載のハンドオーバ制御方法において、前記制御手段は、リンク確立を中止した場合、制御チャネルを通して通話チャネルの割当要求を再送信することを特徴とする。